(57)【要約】【課題】点灯状態と消灯状態の両方で、文字や図形を明確に表示する。看板文字にマトリクス状に設けた点光源で、看板文字とは別の文字や図形を明確に表示する。【解決手段】発光ダイオードの看板は、表面に複数の点光源２をマトリクス状に配置している複数の看板文字１と、この看板文字１の点光源２を点灯する点灯電源３とを備える。看板文字１の点光源２は、赤色発光ダイオードと緑色発光ダイオードと青色発光ダイオードとを備え、これらの発光ダイオードの発光を点灯電源３で制御して点光源２の発光色を変更している。点灯電源３は、看板文字１の形状とは異なる図形や文字からなるイメージ図形２０を記憶する記憶回路４を備えている。この看板は、隣接する看板文字１に、イメージ図形２０を順番に移動させるように、点灯電源３が点光源２の発光を制御して、複数の看板文字１でもって、看板文字１とは異なる文字や図形のイメージ図形２０を表示する。【選択図】図７
2005331776.tif 000002
【特許請求の範囲】
【請求項１】
互いに隣接して配置されると共に、表面には発光ダイオード(6)からなる複数の点光源(2)をマトリクス状に配置している複数の看板文字(1)と、この看板文字(1)の点光源(2)を点灯する点灯電源(3)とを備えており、
看板文字(1)の点光源(2)は、赤色発光ダイオードと、緑色発光ダイオードと、青色発光ダイオードとを備えており、点光源(2)の赤色発光ダイオードと緑色発光ダイオードと青色発光ダイオードの発光を点灯電源(3)で制御して、点光源(2)の発光色を変更するようにしており、
さらに、点灯電源(3)は、看板文字(1)の形状とは異なる図形や文字からなるイメージ図形(20)を記憶する記憶回路(4)を備えており、
点灯電源(3)が、記憶回路(4)に記憶しているイメージ図形(20)を隣接する看板文字(1)に順番に移動させるように、点光源(2)の赤色発光ダイオードと緑色発光ダイオードと青色発光ダイオードの発光を制御して、複数の看板文字(1)でもって、看板文字(1)とは異なる文字や図形のイメージ図形(20)を表示するようにしてなる発光ダイオードの看板。
【請求項２】
複数の看板文字(1)を横一列に配列しており、点灯電源(3)が、看板文字(1)を配列している横方向にイメージ図形(20)を移動するように表示する請求項１に記載される発光ダイオードの看板。
【請求項３】
点灯電源(3)が、イメージ図形(20)を一定の速度で複数の看板文字(1)に移動させるように赤色発光ダイオードと緑色発光ダイオードと青色発光ダイオードの光を制御する請求項１に記載される発光ダイオードの看板。
【請求項４】
ひとつの点光源(2)を構成する赤色発光ダイオードと緑色発光ダイオードと青色発光ダイオードが、外形を円形とするプリント基板(7)に固定されており、複数のプリント基板(7)をマトリクス状にホルダープレート(8)に固定して、点光源(2)をマトリクス状に配列している請求項１に記載される発光ダイオードの看板。
【発明の詳細な説明】
【技術分野】
【０００１】
本発明は、点光源と看板文字の両方で文字や図形等を表示する看板に関する。
【背景技術】
【０００２】
発光ダイオード等の点光源をマトリクス状に配列している看板は、点光源の点灯をコントロールして文字や図形を表示できる。この看板は、点光源を消灯すると文字や図形を表示できない。点光源を消灯する昼間に、文字や図形を表示するために、看板の表面に文字や図形を描いている看板が開発されている（特許文献１及び２参照）。
【特許文献１】特開２００１−５１６２４号公報
【特許文献２】特開２００１−１５４６２０号公報
【発明の開示】
【発明が解決しようとする課題】
【０００３】
特許文献１は、ビルの壁や屋上に設置される看板を記載している。この看板は、等間隔に発光ダイオード等の点光源を有する表示モジュールをマトリクス状に配置している。さらに表示モジュールは、表面に文字や絵柄が描かれており、かつ点光源の位置に対応して貫通孔をマトリクス状に設置している。この看板は、昼間には、点光源を消灯して、前面パネルに描いている文字や絵柄を表示する。夜間には、表示モジュールの点光源を点灯して、静止画や動画を表示する。
【０００４】
特許文献２も、ビルの壁や屋上に設置される看板を記載している。この看板は、３つの表示面を有する三角柱形状の表示モジュールを、複数個並列させ、かつ回転可能に設置している。表示モジュールは、１つの表示面に発光ダイオードからなる点光源を長手方向に整列配置して、他の２つの表示面には、表示画像の要素となる文字や絵柄を設けている。この看板は、昼間には表示モジュールを回転させて、２つの表示面の一方を表示して１つの画像を表示する。夜間には、表示モジュールを回転させて、点光源を有する面でマトリクス状に配置している発光ダイオードでもって、静止画や動画を表示する。
【０００５】
これ等の公報に記載される看板は、昼間に点光源を消灯して、描かれた文字や図形を表示できる。また、夜間には点光源の発光ダイオードの点灯をコントロールして静止画や動画を表示できる。したがって、この看板は、夜間と昼間とで、二種類の表示を、異なる状態で表示できる特徴がある。とくに、夜間には、点光源をコントロールして種々の静止画や動画を表示できる特徴がある。さらに、この構造の看板は、昼間に点光源の点灯状態をコントロールして静止画や動画を表示することができる。しかしながら、昼間の明るい状態で、発光ダイオードで静止画や動画を表示すると、描かれた文字や図形を明確に表示できなくなる。とくに、昼間に発光ダイオードで表示される静止画や動画は、輝度を非常に高くするために、描かれた文字や図形の表示が極めて見え難くなる。昼間の明るい状態で、点光源で表示される静止画や動画を十分なコントラストで表示するためである。
【０００６】
このため、これ等の公報に記載される看板は、昼間に描かれた文字や図形を明確に表示しながら、点光源で別の表示をする、いわゆる同時に二種類の表示を明確にできない欠点がある。また、これ等の公報に記載される看板は、発光ダイオード等の点光源を縦横にマトリクス状に配置して、全ての点光源を構成する発光ダイオードの点灯を独立してコントロールするために、全体の製造コストが著しく高価になる欠点もある。それは、点光源を構成する発光ダイオードの個数が極めて多く、さらに膨大な個数の発光ダイオードを独立してコントロールする制御回路を備える点灯電源も高価になるからである。
【０００７】
本発明は、このような欠点を解決することを目的に開発されたものである。本発明の重要な目的は、発光ダイオードを点灯する状態と消灯する状態の両方で文字や図形を看板文字で明確に表示すると共に、この看板文字にマトリクス状に設けた発光ダイオードの点光源で、看板文字とは別の文字や図形を明確に表示できる看板を提供することにある。
また、本発明の他の大切な目的は、製造コストを著しく低減しながら、発光ダイオードの点光源で種々の文字や図形を表示できる看板を提供することにある。
【課題を解決するための手段】
【０００８】
本発明の発光ダイオードの看板は、前述の目的を達成するために以下の構成を備える。発光ダイオードの看板は、互いに隣接して配置されると共に、表面には発光ダイオード６からなる複数の点光源２をマトリクス状に配置している複数の看板文字１と、この看板文字１の点光源２を点灯する点灯電源３とを備える。看板文字１の点光源２は、赤色発光ダイオードと、緑色発光ダイオードと、青色発光ダイオードとを備えており、赤色発光ダイオードと緑色発光ダイオードと青色発光ダイオードの発光を点灯電源３で制御して、点光源２の発光色を変更している。点灯電源３は、看板文字１の形状とは異なる図形や文字からなるイメージ図形２０を記憶する記憶回路４を備えている。この看板は、記憶回路４に記憶しているイメージ図形２０を隣接する看板文字１に順番に移動させるように、点灯電源３が点光源２の赤色発光ダイオードと緑色発光ダイオードと青色発光ダイオードの発光を制御して、複数の看板文字１でもって、看板文字１とは異なる文字や図形のイメージ図形２０を表示する。
【０００９】
本発明の発光ダイオードの看板は、複数の看板文字１を横一列に配列すると共に、点灯電源３が、看板文字１を配列している横方向にイメージ図形２０を移動するように表示することができる。
【００１０】
本発明の発光ダイオードの看板は、イメージ図形２０を一定の速度で複数の看板文字１に移動させるように、点灯電源３が赤色発光ダイオードと緑色発光ダイオードと青色発光ダイオードの光を制御することができる。
【００１１】
さらに、本発明の発光ダイオードの看板は、ひとつの点光源２を構成する赤色発光ダイオードと緑色発光ダイオードと青色発光ダイオードとを、外形を円形とするプリント基板７に固定し、複数のプリント基板７をマトリクス状にホルダープレート８に固定して、点光源２をマトリクス状に配列することができる。
【発明の効果】
【００１２】
本発明の看板は、発光ダイオードを点灯する状態と消灯する状態の両方で、文字や図形を看板文字で明確に表示できる。それは、本発明の看板が、表面に描かれた文字や図形を表示するのではなくて、外形を文字や図形としている看板文字で表示するからである。看板文字は、点光源の点灯と消灯に関係なく、その外形で文字や図形を明確に表示する。このため、たとえば、看板文字で、「ＳＩＬＶＥＲ  ＭＡＫＩＮＧ」と表示すると、この文字は発光ダイオードの点灯に関係なく明確に表示される。また、看板文字は大きな文字となるので、遠くからも明確に認識できるようにできる。
【００１３】
さらに、本発明の特筆すべき特長は、ディスプレイのように、四角形の看板に発光ダイオードからなる点光源をマトリクス状に配置するのではなく、看板文字の表面に発光ダイオードからなる点光源をマトリクス状に配置して、この点光源の点灯を点灯電源でコントロールして、図形や文字からなるイメージ図形を表示する。看板文字は、文字の内部や間に広い隙間がある。この隙間には発光ダイオードの点光源を配置していない。このため、看板文字の点光源は、イメージ図形の全体を常には表示できない。看板文字の点光源は、イメージ図形の一部を表示して一部を表示しない。イメージ図形が表示されないとその形状を認識できくなる。本発明は、イメージ図形の全体を見る人に認識させるために、イメージ図形を隣接する看板文字に順番に移動させる。看板文字に沿って移動するイメージ図形は、表示される状態と表示されない状態とが繰り返されながら移動する。イメージ図形は、あるタイミングでは表示されない。ただ、表示されるときにイメージ図形が脳に記憶される。したがって、イメージ図形の全体が常に表示されなくとも、これが看板文字に沿って移動して、全てのイメージ図形が特定のタイミングで表示されると、全てのイメージ図形が脳で合成されて、イメージ図形として認識される。このように、本発明の看板は、イメージ図形の全体を常には表示しないが、隣接する看板文字に移動させることによって、イメージ図形の全体を時間をずらせて表示し、さらに、全体を看板文字に沿って一緒に移動させて、見る人の脳でイメージ図形を合成させる。したがって、本発明の看板は、常に全体のイメージ図形を表示する看板に比較して、発光ダイオードからなる点光源の個数を著しく少なくして、製造コストを著しく低減して、少ない発光ダイオードでもって、イメージ図形を表示できる。
【００１４】
また、本発明は、看板文字で図形や文字を表示し、この看板文字に設けている発光ダイオードの点光源で図形や文字からなるイメージ図形として表示するので、発光ダイオードからなる点光源の点灯と消灯に関係なく、看板文字でもって常に大きく図形や文字を明確に表示できる特長がある。
【発明を実施するための最良の形態】
【００１５】
以下、本発明の実施例を図面に基づいて説明する。ただし、以下に示す実施例は、本発明の技術思想を具体化するための看板を例示するものであって、本発明は看板を以下のものに特定しない。
【００１６】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１７】
図１と図２に示す発光ダイオードの看板は、互いに隣接して配置されると共に、表面には発光ダイオードからなる複数の点光源２をマトリクス状に配置している複数の看板文字１と、この看板文字１の点光源２を点灯する点灯電源３とを備えている。
【００１８】
看板文字１は、外形を文字や図形の形状として、表面には点光源２をマトリクス状に配置する幅を設けている。図に示す看板文字１は英文字としているが、本発明は看板文字の形状を特定しない。看板文字は、日本文字や絵柄等の図形とすることもできる。
【００１９】
看板文字１の点光源２は、赤色発光ダイオードと、緑色発光ダイオードと、青色発光ダイオードとを備えている。点光源２の赤色発光ダイオードと緑色発光ダイオードと青色発光ダイオードは、点灯電源３で発光状態が制御されて、発光色を変更させる。点光源２の点灯と発光色をコントロールするために、点灯電源３は、看板文字１の形状とは異なる図形や文字からなるイメージ図形を記憶回路４に記憶している。点灯電源３は、イメージ図形を隣接する看板文字１に順番に移動させるように、点光源２の赤色発光ダイオードと緑色発光ダイオードと青色発光ダイオードの発光を制御して、複数の看板文字１でもって、看板文字１とは異なる文字や図形のイメージ図形を表示させる。
【００２０】
図１の看板は、複数の看板文字１を横一列に配置している。この看板は、横に配列される看板文字１の方向に、すなわち、イメージ図形を横方向に移動させて表示する。さらに、図の看板は、高さ方向の幅を同じとする看板文字１を横一列に並べている。この看板は、全ての看板文字１の幅を、イメージ図形の全幅として、イメージ図形の全幅を各々の文字で表示できる。このため、イメージ図形を明確に表示できる。ただ、本発明の看板は、必ずしも全ての看板文字の幅をイメージ図形の全幅とする必要はなく、一部の看板文字をイメージ図形の全幅として、一部の看板文字の幅をイメージ図形の全幅よりも狭くすることもできる。この看板は、全ての看板文字でイメージ図形の全幅を表示しないが、イメージ図形の全幅の看板文字でイメージ図形の全幅を表示することができる。図の看板は、看板文字１を横一列に配置しているが、看板文字は、横複数列に配置することができる。また、看板文字は、縦一列、あるいは縦複数列に配置することもできる。
【００２１】
看板文字１は、図３と図４に示すように、表面にマトリクス状に点光源２を配置している。看板文字１は、点光源２をマトリクス状に配置できるように、所定の幅のある文字や図形としている。看板文字は、幅を広くして、イメージ図形をより広い面積で表示できる。ただ、看板文字は、幅を狭くして、イメージ図形を表示する点光源の個数を少なくできる。看板文字１は、配置させる看板文字１の外形に接する直線で囲まれる領域において、看板文字１が占める割合が、たとえば１０〜７０％、好ましくは１５〜６０％、さらに好ましくは、２０〜５０％となる文字幅と、間隔に配置する。看板文字を細くして、隣接する看板文字との間隔を広くすると、看板文字が占める割合は小さくなり、看板文字の幅を広くして、隣接する看板文字との間隔を狭くすると、看板文字が占める割合を大きくできる。
【００２２】
看板文字１に点光源２を配置する構造を図４の横断面図に示す。この図の看板文字１は、文字ケーシング５に発光ダイオード６を収納している。文字ケーシング５は、看板文字１の両側に沿う形状に成形されてなる側壁５Ａと、この側壁５Ａの底面を閉塞する底板５Ｂと、側壁５Ａの表面を閉塞する透光性プレート５Ｃとを備える。側壁５Ａと底板５Ｂはステンレス等の金属板で、透光性プレート５Ｃは透明ないし半透明のプラスチック板やガラス板である。図に示す文字ケーシング５は、表面を透光性プレート５Ｃで閉塞して、内部に発光ダイオード６を収納するので、発光ダイオード６を防水構造で配置できる。このため、発光ダイオード６の耐久性を向上できる。ただ、文字ケーシングは、必ずしも表面を透光性プレートで閉塞することなく、側壁の表面を開口して、発光ダイオードの光を直接に外部に放射する構造とすることもできる。
【００２３】
図４の看板文字１は、発光ダイオード６をプリント基板７に固定して、プリント基板７を文字ケーシング５に固定して、発光ダイオード６を看板文字１の定位置に配置している。プリント基板７は、ホルダープレート８を介して文字ケーシング５に固定している。ホルダープレート８は、文字ケーシング５内の定位置に固定している。このホルダープレート８の裏面にプリント基板７を固定して、プリント基板７を文字ケーシング５の定位置に配置している。図の看板文字１は、ホルダープレート８の裏面にプリント基板７を配置するので、ホルダープレート８には、プリント基板７に固定している発光ダイオード６の光を透過させる光透過開口８Ａを設けている。この看板文字１は、ホルダープレート８の前面を特定の色に着色して、発光ダイオード６を消灯する状態で看板文字１を特定の色に着色できる。さらに、この看板文字１は、ホルダープレート８の前面を黒等の暗色に着色して、発光ダイオード６で表示する図形や文字からなるイメージ図形のコントラストを高くできる。図示しないが、看板文字は、ホルダープレートの前面にプリント基板を固定することもできる。この看板文字は、ホルダープレートに光透過開口を設ける必要がない。この看板文字は、プリント基板の前面と、ホルダープレートの前面であってプリント基板に隠ぺいされない部分とを黒等の暗色に着色して、発光ダイオードで表示されるイメージ図形のコントラストを高くできる。
【００２４】
プリント基板７は、連結具９でホルダープレート８に連結される。図５は、連結具９を介して、プリント基板７をホルダープレート８に連結する構造を示している。連結具９は、一端の固定部９Ａの外周面に沿って、ホルダープレート８を嵌合して連結する環状の連結溝９ａを設けている。ホルダープレート８は、連結具９の固定部９Ａを挿通する連結孔８Ｂを貫通して設けている。連結具９は、固定部９Ａをホルダープレート８の連結孔８Ｂに挿通し、連結溝９ａにホルダープレート８を嵌合して、ホルダープレート８に連結される。この構造の連結具９は、ホルダープレート８の連結孔８Ｂに固定部９Ａを挿通してホルダープレート８に固定される。さらに、連結具９は、固定部９Ａの反対側を、プリント基板７に連結する脱着連結部９Ｂとしている。脱着連結部９Ｂは、プリント基板７の表面を支持する鍔部９ｂと、この鍔部９ｂから先端に突出している挿通部９ｃとからなる。挿通部９ｃは、両側に弾性的に拡開される弾性係止部９ｄを一体的に成形して設けている。この構造の連結具９は、脱着連結部９Ｂの挿通部９ｃをプリント基板７に開口している連結開口７Ａに挿通する。このとき、弾性係止部９ｄが弾性変形して、挿通部９ｃを連結開口７Ａに通過させる。連結開口７Ａを通過した弾性係止部９ｄは、弾性的に拡開されて、プリント基板７の裏面を係止し、プリント基板７の表面を支持する鍔部９ｂとでプリント基板７を両面から挟着して固定する。この構造の連結具９は、脱着連結部９Ｂをプリント基板７の連結開口７Ａに挿通して、簡単にプリント基板７を連結できる。ただし、連結具は、両端に固定部を設けて、ホルダープレートとプリント基板に固定することも、両端に脱着連結部を設けて、ホルダープレートとプリント基板に連結することもできる。さらに、プリント基板をネジ止してホルダープレートに固定することもできる。
【００２５】
プリント基板７には、ひとつの点光源２を構成する赤色発光ダイオードと緑色発光ダイオードと青色発光ダイオードを固定している。赤色発光ダイオードと緑色発光ダイオードと青色発光ダイオードを一緒に点灯して白色となるように、各々の発光色の発光ダイオードの個数を調整している。赤色発光ダイオードは、緑色発光ダイオードと青色発光ダイオードの発光ダイオードに比較して発光輝度が低いので、緑色発光ダイオードと青色発光ダイオードに比較してプリント基板７に固定する個数を多くしている。たとえば、ひとつのプリント基板７には、４個の赤色発光ダイオードと、２個の緑色発光ダイオードと、２個の青色発光ダイオードを固定している。
【００２６】
図のプリント基板７は、光を集束して放射する集束レンズを備える集光タイプの発光ダイオード６を固定している。この発光ダイオード６は、光を集束して放射するので、正面に近い方向から見て輝度を高くできる。ただ、本発明の看板は、プリント基板にチップタイプの発光ダイオードを固定することもできる。プリント基板７は、裏面にコネクター１０を固定している。コネクター１０は、プリント基板７を介して発光ダイオード６に接続される。発光ダイオード６は、プリント基板７に半田付けして固定され、プリント基板７を介してコネクター１０に接続される。プリント基板７に固定しているひとつの点光源２を構成する赤色発光ダイオードと緑色発光ダイオードと青色発光ダイオードは、コネクター１０を介して点灯電源３に接続される。このプリント基板７は、ひとつのコネクター１０を介して、ひとつの点光源２を点灯電源３に接続する。
【００２７】
図２に示す点灯電源３は、イメージ図形を記憶している記憶回路４と、この記憶回路４に記憶しているイメージ図形が看板文字１に移動するように発光ダイオード６の点灯をコントロールするコントローラ１１と、コントローラ１１と発光ダイオード６との間に接続しているドライバ１２とを備えている。さらに、図の点灯電源３は、記憶回路４に記憶させるイメージ図形を入力する入力器１３を接続している。記憶回路４は、入力器１３から入力されるイメージ図形を記憶する。入力器１３は、キーボードやマウス、あるいはスキャナー等の画像の読み込み装置、あるいは画像を入力する映像機器である。
【００２８】
コントローラ１１は、ドライバ１２を介して点光源２の発光ダイオード６の点灯をコントロールして、記憶回路４に記憶されるイメージ図形を隣接する看板文字１に順番に移動させる。コントローラ１１は、点光源２の発光色でイメージ図形を移動させ、あるいは点灯と消灯とをコントロールして、イメージ図形を移動させる。コントローラ１１は、イメージ図形を変形しない静止画として隣接する看板文字１に順番に移動させる。イメージ図形を静止画の状態として隣接する看板文字１に順番に移動させる看板は、イメージ図形を明確に認識できる。ただ、本発明は、イメージ図形を静止画には特定しない。それは、隣接する看板文字１に順番に移動させて認識できる程度の速度で変化する動画とすることもできるからである。本発明の看板は、看板文字１にイメージ図形を表示するので、全てのタイミングにおいて、イメージ図形の全体を表示できない。表示されないイメージ図形の一部は、隣接する看板文字１に順番に移動させることで、時間をずらせて看板文字１に表示する。すなわち、イメージ図形は、特定のタイミングのみでは全体が表示されないが、全ての看板文字１にイメージ図形を移動させる特定の時間帯においては、イメージ図形の全体、ないしはほぼ全体が表示される。図６ないし図１７に示すように、イメージ図形２０は部分によって看板文字１に表示されるタイミングは異なるが、隣接する看板文字１に順番に移動すると、見る人は脳で全体のイメージ図形２０を合成することができる。イメージ図形２０が静止画であると、同じ形状で隣接する看板文字１に順番に移動するので、看板文字１を見る人は、全体のイメージ図形２０を合成できる。イメージ図形がゆっくりと変化する動画であっても、看板文字を見て動画が変化する状態を合成することができる。
【００２９】
コントローラ１１が、発光色でイメージ図形２０を、隣接する看板文字１に順番に移動させると、全ての看板文字１の全面を発光させながら、イメージ図形２０を表示できる。このため、この看板は、看板文字１の全体を明るくして、イメージ図形２０を表示できる。赤色発光ダイオードと緑色発光ダイオードと青色発光ダイオードからなる点光源２は、各々の発光ダイオード６の点灯や発光輝度をコントロールして、発光色をフルカラーに変化できる。したがって、コントローラ１１が赤色発光ダイオードと緑色発光ダイオードと青色発光ダイオードの発光をコントロールして、点光源２の発光色をコントロールできる。コントローラ１１は、点光源２の明るさを変化させてイメージ図形２０を隣接する看板文字１に順番に移動させることができ、また、点光源２の点灯と消灯をコントロールして、イメージ図形２０を隣接する看板文字１に順番に移動させることもできる。
【００３０】
図１８に示すドライバ１２は、発光ダイオード６に接続されて発光ダイオード６の通電を制御するスイッチング素子１４と、スイッチング素子１４をコントローラ１１から入力される信号でオンオフに切り換える入力回路１５とを備えている。入力回路１５が、コントローラ１１から入力される信号でスイッチング素子１４をオンオフに切り換えて、スイッチング素子１４に接続している発光ダイオード６を点滅させる。スイッチング素子１４は、オンオフに切り換えられるデューティで発光ダイオード６への供給電力を制御して、発光ダイオード６の平均的な発光出力を調整する。スイッチング素子１４のオフ時間に対するオン時間が長くなると、発光ダイオード６の供給電力が大きくなって、発光ダイオード６の発光出力が増加する。反対に、スイッチング素子１４のオフ時間に対するオン時間を短くすると、発光ダイオード６の発光出力は低下する。入力回路１５は、コントローラ１１から入力される信号で、スイッチング素子１４をオンオフに切り換えるデューティを調整して、発光ダイオード６の発光出力を調整する。スイッチング素子１４は、各々の発光ダイオード６にスイッチング素子１４を接続している。ただし、同じ発光色の発光ダイオード６を複数個備える点光源２は、図１９に示すように、同じ発光色の発光ダイオード６を、直列に接続している電流制限抵抗１６を介して並列に接続し、あるいは並列に接続して直列に電流制限抵抗を介して接続して、ひとつのスイッチング素子１４で複数の発光ダイオード６をオンオフに切り換えることもできる。スイッチング素子１４をオンオフに切り換えるデューティで発光ダイオード６の発光出力をコントロールするドライバ１２は、電源の利用効率を高くしながら、スイッチング素子１４の発熱を少なくして発光ダイオード６の発光出力をコントロールできる。ただし、ドライバは、スイッチング素子の電気抵抗を調整して、発光ダイオードの発光出力をコントロールすることもできる。このドライバは、入力回路が、コントローラから入力される信号で、発光ダイオードに接続している各々のスイッチング素子の電気抵抗を調整して、発光ダイオードの点灯をコントロールする。
【００３１】
以上の構造の看板は、コントローラ１１がドライバ１２を介して点光源２の発光ダイオード６の点灯をコントロールして、図６ないし図１７に示すように、記憶回路４に記憶されるイメージ図形２０を、一定の速度で隣接する看板文字１に順番に移動させる。イメージ図形２０を移動させる速度は、イメージ図形２０と共に記憶回路４に記憶されている。コントローラ１１は、記憶回路４に記憶される速度で、イメージ図形２０を隣接する看板文字１に順番に移動するように、ドライバ１２を介して点光源２の発光ダイオード６である、赤色発光ダイオードと緑色発光ダイオードと青色発光ダイオードの点灯を制御する。イメージ図形２０が隣接する看板文字１に順番に移動する速度は、たとえば、３０ｃｍ／秒〜３ｍ／秒、好ましくは５０ｃｍ／秒〜２ｍ／秒とする。ただし、イメージ図形２０を移動させる速度は、看板文字１の大きさによって変化し、看板文字１が大きくなると速く、小さくなると遅くする。したがって、看板文字１が特に大きい場合、イメージ図形２０の移動速度を３ｍ／秒よりも遅くし、反対に看板文字１が特に小さい場合は、イメージ図形２０の移動速度を３０ｃｍ／秒よりも遅くして、イメージ図形２０を見やすくする。
【００３２】
図６ないし図１７に示す看板は、イメージ図形２０としてイルカを表示している。これらの図に示す看板は、イメージ図形２０であるイルカが、図において左側から右側に向かって飛び跳ねながら移動していく表示となるように、イメージ図形２０を看板文字１に沿って順番に移動させている。ただ、イメージ図形は、必ずしも図形とする必要はなく、文字とすることもできる。イメージ図形として文字を表示する看板は、たとえば、単語や文章を看板文字に沿って順番に移動させて、表示される内容を見る人に認識させる。図２０ないし図２７に示す看板は、イメージ図形２０として「Ｗｅｌｃｏｍｅ！」という英文を表示している。これらの図に示す看板は、イメージ図形２０である英文が、図において右側から左側に向かって移動していく表示となるように、イメージ図形２０を看板文字１に沿って順番に移動させている。このように、イメージ図形として単語や文章を表示する場合においては、図２０ないし図２７に示すように、看板文字１が横に配置される看板では、イメージ図形２０を右側から左側に移動させて、また、図示しないが、看板文字が縦に配置される看板では、イメージ図形を下側から上側に移動させて、表示される単語や文章を認識しやすくできる。
【図面の簡単な説明】
【００３３】
【図１】本発明の一実施例にかかる発光ダイオードの看板の構成図である。
【図２】本発明の一実施例にかかる発光ダイオードの看板のブロック図である。
【図３】図１に示す発光ダイオードの看板の看板文字を示す拡大正面図である。
【図４】図３に示す看板文字のＡ−Ａ線断面図である。
【図５】ホルダープレートとプリント基板の連結構造を示す拡大断面図である。
【図６】看板文字に沿ってイメージ図形を移動させる一例を示す図である。
【図７】看板文字に沿ってイメージ図形を移動させる一例を示す図である。
【図８】看板文字に沿ってイメージ図形を移動させる一例を示す図である。
【図９】看板文字に沿ってイメージ図形を移動させる一例を示す図である。
【図１０】看板文字に沿ってイメージ図形を移動させる一例を示す図である。
【図１１】看板文字に沿ってイメージ図形を移動させる一例を示す図である。
【図１２】看板文字に沿ってイメージ図形を移動させる一例を示す図である。
【図１３】看板文字に沿ってイメージ図形を移動させる一例を示す図である。
【図１４】看板文字に沿ってイメージ図形を移動させる一例を示す図である。
【図１５】看板文字に沿ってイメージ図形を移動させる一例を示す図である。
【図１６】看板文字に沿ってイメージ図形を移動させる一例を示す図である。
【図１７】看板文字に沿ってイメージ図形を移動させる一例を示す図である。
【図１８】図２に示す点灯電源のドライバの一例を示す回路図である。
【図１９】ドライバの他の一例を示す回路図である。
【図２０】看板文字に沿ってイメージ図形を移動させる他の一例を示す図である。
【図２１】看板文字に沿ってイメージ図形を移動させる他の一例を示す図である。
【図２２】看板文字に沿ってイメージ図形を移動させる他の一例を示す図である。
【図２３】看板文字に沿ってイメージ図形を移動させる他の一例を示す図である。
【図２４】看板文字に沿ってイメージ図形を移動させる他の一例を示す図である。
【図２５】看板文字に沿ってイメージ図形を移動させる他の一例を示す図である。
【図２６】看板文字に沿ってイメージ図形を移動させる他の一例を示す図である。
【図２７】看板文字に沿ってイメージ図形を移動させる他の一例を示す図である。
【符号の説明】
【００３４】
１…看板文字
２…点光源
３…点灯電源
４…記憶回路
５…文字ケーシング      ５Ａ…側壁              ５Ｂ…底板
５Ｃ…透光性プレート
６…発光ダイオード
７…プリント基板        ７Ａ…連結開口
８…ホルダープレート    ８Ａ…光透過開口        ８Ｂ…連結孔
９…連結具              ９Ａ…固定部            ９Ｂ…脱着連結部
９ａ…連結溝            ９ｂ…鍔部
９ｃ…挿通部            ９ｄ…弾性係止部
１０…コネクター
１１…コントローラ
１２…ドライバ
１３…入力器
１４…スイッチング素子
１５…入力回路
１６…電流制限抵抗
２０…イメージ図形
【図１】
2005331776.tif 000003
【図２】
2005331776.tif 000004
【図３】
2005331776.tif 000005
【図４】
2005331776.tif 000006
【図５】
2005331776.tif 000007
【図６】
2005331776.tif 000008
【図７】
2005331776.tif 000009
【図８】
2005331776.tif 000010
【図９】
2005331776.tif 000011
【図１０】
2005331776.tif 000012
【図１１】
2005331776.tif 000013
【図１２】
2005331776.tif 000014
【図１３】
2005331776.tif 000015
【図１４】
2005331776.tif 000016
【図１５】
2005331776.tif 000017
【図１６】
2005331776.tif 000018
【図１７】
2005331776.tif 000019
【図１８】
2005331776.tif 000020
【図１９】
2005331776.tif 000021
【図２０】
2005331776.tif 000022
【図２１】
2005331776.tif 000023
【図２２】
2005331776.tif 000024
【図２３】
2005331776.tif 000025
【図２４】
2005331776.tif 000026
【図２５】
2005331776.tif 000027
【図２６】
2005331776.tif 000028
【図２７】
2005331776.tif 000029